(57)【要約】【課題】  リール操作を円滑にすると共に、仮に竿体乃至リールシートから手を離しても、竿体の落下を防止できる釣竿を提供する。【解決手段】  この釣竿は、周面にリールシート２を有する元竿１と、元竿１のリールシート２付近の周面に装着された手を引っかけるための掛止部材１０とを備える。この掛止部材１０は、本体部１１と、本体部１１の長手方向端部に設けられた元竿１に装着される装着部１２と、本体部１１上に形成された手を引っ掛けるための掛止部１２とを有する。この掛止部１２はリールシート２のリール載置面２ａと周方向反対側に位置している。【選択図】  図１
2005117932.tif 000002
【特許請求の範囲】
【請求項１】
周面にリールシートを有する竿体のリールシート付近に装着する釣竿用部品であって、
本体部と、前記本体部の長手方向端部に設けられた前記竿体に装着される装着部と、前記本体部上に形成された手を引っ掛けるための掛止部とを備えた、釣竿用部品。
【請求項２】
前記本体部は帯状の弾性体であり、その長手方向両端部に形成された一対のリング状の部位を有し、且つ、長手方向中央付近に於いては幅方向に２つに分割された割りが形成されており、
前記一対のリング状の部位が前記装着部であり、前記割りが掛止部である、請求項１に記載の釣竿用部品。
【請求項３】
前記本体部は、前記装着部から前記竿体周面から離れるように湾曲しつつ起立する起立部位と、前記起立部位に連続して幅方向に二股に別れて前記竿体の軸長方向に延びる二股部位とを有し、前記二股部位が前記手を引っ掛けるための掛止部である、請求項１に記載の釣竿用部品。
【請求項４】
魚釣りに用いる釣竿であって、
周面にリールシートを有する竿体と、前記竿体のリールシート付近の周面に装着された手を引っかけるための掛止部材とを備え、
前記掛止部材は、本体部と、前記本体部の長手方向端部に設けられた前記竿体に装着される装着部と、前記本体部上に形成された手を引っ掛けるための掛止部とを有し、前記掛止部が前記リールシートのリール載置面と周方向反対側に位置している、釣竿。
【請求項５】
前記掛止部材の本体部は帯状の弾性体であり、その長手方向両端部に形成された一対のリング状の部位を有し、且つ、長手方向中央付近に於いては幅方向に２つに分割された割りが形成されており、
前記一対のリング状の部位が前記装着部であり、前記割りが掛止部である、請求項４に記載の釣竿。
【請求項６】
前記掛止部材の本体部は、前記装着部から前記竿体周面から離れるように湾曲しつつ起立する起立部位と、前記起立部位に連続して幅方向に二股に別れて前記竿体の軸長方向に延びる二股部位とを有し、前記二股部位が前記手を引っ掛けるための掛止部である、請求項４に記載の釣竿。
【発明の詳細な説明】
【技術分野】
【０００１】
本発明は釣竿、特に、竿体周面にリールを脱着自在に装着可能なリールシートを有する釣竿に関する。
【背景技術】
【０００２】
釣竿の中には、竿体周面にリールシートを有するタイプの物がある。このタイプの釣竿では、釣糸をリールに巻き取っておき、釣糸をリールから導出し又は巻き上げて釣りをおこなう。このタイプの釣竿において釣人がリール操作をする際には、釣人はリール乃至リールシートと共に竿体を一方の手で把持しつつ、他方の手でリール操作を行っている。
【０００３】
このようなリール操作をより円滑に行うために、リールシート付近を把持しやすくまた力を入れやすいように工夫することが求められてきた。そこで、リールシート付近にトリガーと呼ばれる指を引っかけるための突起を形成したものや（例えば、特許文献１参照）、アームを取り付けた釣竿が提案されている（例えば、特許文献２参照）。
【０００４】
ところで、釣人はリール操作を常に行っている訳ではない。一方の手でリール乃至リールシート付近を把持しつつ、他方の手はリールから外して休憩したり、他方の手で釣り餌を付け替えたり、喫煙する等の動作も行う。このような場合に、ふと気が緩んで一方の手で把持していた竿体を落としてしまう場合もある。また、一方の手が疲れてきた場合に、竿体乃至リールシート付近への把持をほぐしたい場合もある。
【０００５】
上述のようなトリガーは、このトリガーに指を引っかけてリール操作時に力を入れて竿体等を把持し得るようにするためのものである。従って、落下防止などには効果がない。また、上述のようなアームは、アームと竿体との間に手を入れておくものであって、落下防止にも資するようにも見える。しかし、このアームはリール操作の円滑性を主とするものでリールシートのサイド側に取り付けられているので、竿体乃至リールシートから手を離せばやはり竿体は落下してしまう。
【特許文献１】特開平０８−１９１６４９号公報
【特許文献２】特開２０００−３５５２１２
【発明の開示】
【発明が解決しようとする課題】
【０００６】
本発明の課題は、リール操作を円滑にすると共に、仮に竿体乃至リールシートから手を離しても、竿体の落下を防止することにある。
【課題を解決するための手段】
【０００７】
本発明の釣竿用部品は、周面にリールシートを有する竿体のリールシート付近に装着する釣竿用部品である。そして、この部品は、本体部と、本体部の長手方向端部に設けられた竿体に装着される装着部と、本体部上に形成された手を引っ掛けるための掛止部とを備えている。
【０００８】
釣人は、掛止部に手を引っ掛けながらその手で竿体のリールシート付近を把持する。この釣竿用部品により竿体付近を保持し易くなりリール操作性が向上する。また、仮に、竿体から手を離してしまっても、竿体に装着されている釣竿用部品が手に引っ掛かっており、釣竿は落下しない。
【０００９】
本発明の釣竿用部品の１つとしては、その本体部が帯状の弾性体であり、その長手方向両端部に形成された一対のリング状の部位を有し、且つ、長手方向中央付近に於いては幅方向に２つに分割された割りが形成されている。この一対のリング状の部位が装着部であり、割りが掛止部である。
【００１０】
この部品では、リング状の部位が竿体のリールシートの軸長方向両端に嵌められ、帯状の本体部がリールシートの載置面と周方向反対側に位置するように配置される。そして、釣人は本体部の割りに手を通して、手首に本体部を引っ掛け、その手で竿体のリールシート付近を把持する。
【００１１】
本発明の釣竿用部品の他の１つとしては、その本体部は、装着部から竿体周面から離れるように湾曲しつつ起立する起立部位と、起立部位に連続して幅方向に二股に別れて竿体の軸長方向に延びる二股部位とを有する。この二股部位が手を引っ掛けるための掛止部である。
【００１２】
この部品は、本体部の起立部位と二股部がリールシートの載置面と周方向反対側に位置するように配置される。そして、釣人は二股部に手を引っかけながら、その手で竿体のリールシート付近を把持する。
【００１３】
また、本発明の釣竿は、魚釣りに用いる釣竿であって、周面にリールシートを有する竿体と、竿体のリールシート付近の周面に装着された手を引っかけるための掛止部材とを備えている。この掛止部材は、本体部と、本体部の長手方向端部に設けられた竿体に装着される装着部と、本体部上に形成された手を引っ掛けるための掛止部とを有する。この掛止部がリールシートのリール載置面と周方向反対側に位置している。
【００１４】
例えば、この掛止部材の本体部は帯状の弾性体であり、その長手方向両端部に形成された一対のリング状の部位を有し、且つ、長手方向中央付近に於いては幅方向に２つに分割された割りが形成される。そして、一対のリング状の部位が前記装着部であり、割りが掛止部である。
【００１５】
別の掛止部材では、その本体部は、装着部から竿体周面から離れるように湾曲しつつ起立する起立部位と、起立部位に連続して幅方向に二股に別れて竿体の軸長方向に延びる二股部位とを有する。その二股部位が手を引っ掛けるための掛止部である。
【発明の効果】
【００１６】
本発明に係る釣竿用部品叉はこれを備える釣竿では、釣人が竿体から手を離しても竿体は落下しない。
【発明を実施するための最良の形態】
【００１７】
［第１実施形態］
以下、本発明の第１実施形態について図面を参照しつつ説明する。
【００１８】
本発明の第１実施形態を採用した釣竿は、複数の竿体を順次並継形式又は振出形式で連結して構成されている。図１に、最も手元側に位置する竿体である元竿１を示す。この元竿１は、炭素繊維等の強化樹脂に合成樹脂を含浸させたプリプレグ素材からなる先細り筒状部材である。竿元側端部には尻栓が脱着自在に装着され、軸長方向中央付近の周面にはリールＲを脱着自在に装着するためのリールシート２が設けられている。また、必要に応じて、リールシート２の穂先側の周面にはリールＲからの釣糸を案内するための釣糸ガイドが装着される。
【００１９】
リールシート２は、パイプ状の成型品を元竿１の周面に配置して固定するものなど周知のものを利用できる。このリールシート２は、リールＲの脚部を載置する載置面２ａと、軸長方向両端において挟持するための固定フードと移動フードを有する。載置面２ａ上にリールの脚部を載置し、固定フードと移動フードで脚部を挟み込んで固定する。
【００２０】
このリールシート２付近の元竿１の周面には、掛止部材１０が取り付けられている。掛止部材１０は、シリコンゴム等の弾性体から形成される帯状の本体部１１を有している。本体部１１の長手方向両端部はそれぞれリング状に加工されており、このリング状の部分が装着部１２である。また、本体部１１の長手方向中央付近に於いては幅方向に２つに分割された割り１３が形成されている。
【００２１】
リング状の装着部１２は元竿１の径にあわせて調整されており、例えば、元竿１の竿元側端部から装着部１２をはめ込む。この先端側の装着部１２はリールシート２の先端側に隣接する位置に、そして、後端側の装着部１２はリールシート２の後端側に隣接する位置に配置される。
【００２２】
本体部１１は、図２に詳しく示すように、割り１３によって軸長方向中央付近において幅方向に２つに分割されている。分割された２つの部分はそれぞれ幅広化している。割り１３は、図３に示すように、単純に本体部１１の軸長方向に切り目を入れたのみでもよいが、図２に示すように、割り１３自体が幅を有するように加工してもよい。このように割り１３自体に一定の幅を設ける場合には、人の手首が収まる程度の幅とするのが好ましい。また、本体部１１の軸方向長さはリールシート２の軸長方向長さを考慮して設定されるものであり２００ｍｍ程度となる。この場合、割り１３の軸長方向長さは１００〜１２０ｍｍ程度となる。この本体部１１は、装着部１２を元竿１の所定の軸方向位置にセットした後に、リールシート２の載置面２ａと周方向の反対側に位置するようにする。
【００２３】
なお、この実施形態においては、掛止部材１０の本体部１１をシリコンゴム等の弾性体から形成し、元竿１に対して掛止部材１０を脱着自在としている。しかし、掛止部材１０はこのような脱着自在のものに限定されるものではなく、例えば、硬質プラスチック等から掛止部材１０を形成し、装着部１１は元竿１の周面に脱着不能に固定してもよい。
【００２４】
このような掛止部材１０を装着した釣竿においては、上述のように、一対のリング状の装着部１２を元竿１のリールシート付近の所定の位置に嵌め、本体部１１がリールシート２の載置面２ａと周方向反対側に位置するように配置する。そして、釣人は、図１に示すように、本体部１１の割り１３に手を通して、手首に本体部１１を引っ掛け、その手で元竿１のリールシート２付近をリールの脚部と共に把持する。
【００２５】
この掛止部材１０により釣人は元竿１のリールシート２付近を保持し易くなりリール操作性が向上する。また、仮に、釣人が元竿１から手を離してしまっても、元竿１に装着されている掛止部材１０が手首に引っ掛かっているので、釣竿は落下しない。
【００２６】
［第２実施形態］
以下、本発明の第２実施形態について図面を参照しつつ説明する。
【００２７】
本発明の第２実施形態を採用した釣竿も、上述の第１実施形態と同様の構成であり、複数の竿体を順次並継形式又は振出形式で連結して構成されている。図４及び図５に、最も手元側に位置する竿体である元竿１を示す。この元竿１には、第１実施形態と同様にリールシート２が設けられる。
【００２８】
このリールシート２付近の元竿１の周面には、掛止部材２０が取り付けられている。掛止部材２０は、ＡＢＳ樹脂やポリカーボネイト等の硬質合成樹脂から形成される本体部２１を有している。本体部２１の先端側端部はリング状に加工されており、この部分が元竿１のリールシート２の穂先側に隣接する位置に固定されている。このリング状の部分が装着部２２である。
【００２９】
本体部２１は、装着部２２から元竿１の軸長方向に沿って竿元側に延びている。その周方向位置としては、リールシート２の載置面２ａと周方向の反対側である。詳しくは、本体部２１は、装着部２２より竿体周面から離れるように湾曲しつつ起立する起立部位２１ａと、起立部位に連続して幅方向に二股に別れて竿体の軸長方向に延びる二股部位２１ｂとに区分し得る。この二股部位２１ｂが手を引っ掛けるための掛止部となる。二股部位２１ｂは竿元側に至るほど徐々にその両者の間隔を幅方向に広げるようになっており、且つ、元竿１からも緩やかに徐々に離間している。
【００３０】
なお、この実施形態においては、掛止部材２０を元竿１に脱着不能に固定した例を示しているが、元竿１に対して脱着自在としてもよい。例えば、装着部２２を左右一対のハサミ部材から形成し、付勢バネによってこの左右一対のハサミ部材を付勢し、元竿１の周面を挟み込むようにしてもよい。
【００３１】
このような掛止部材２０を装着した釣竿においては、釣人は、本体部２１の二股部位２１ｂに手を引っ掛けながら、その手で元竿１のリールシート２付近を把持する。詳しくは、二股部位２１ｂと元竿１との隙間に手を差し込み、親指と他の指との間に本体部２１の起立部位２１ａを当てながら、その手で元竿１のリールシート２付近を把持することになる。
【００３２】
この掛止部材２０により釣人は元竿１のリールシート２付近を保持し易くなりリール操作性が向上する。また、仮に、釣人が元竿１から手を離してしまっても、元竿１に装着されている掛止部材２０の本体部２１の二股部位２１ｂが手の甲に引っ掛かっているので、釣竿は落下しない。
【図面の簡単な説明】
【００３３】
【図１】本発明の第１実施形態を採用した釣竿のリールシート２付近を示した図。
【図２】図１の上面図。
【図３】掛止部材の変形例を示した図。
【図４】本発明の第２実施形態を採用した釣竿のリールシート２付近を示した図。
【図５】図４の上面図。
【符号の説明】
【００３４】
１  元竿
２  リールシート
２ａ  載置面
１０，２０  掛止部材
【図１】
2005117932.tif 000003
【図２】
2005117932.tif 000004
【図３】
2005117932.tif 000005
【図４】
2005117932.tif 000006
【図５】
2005117932.tif 000007